(57)【要約】【課題】本発明の課題は、手間をかけずに快眠や起床後の快適性等を向上させ得る空気調和機および空調制御システムを提供することである。【解決手段】空気調和機は、第１通信部１１と設定情報部１２と制御部１３とを備える。第１通信部１１は、アラーム時刻情報を受信する。設定情報部１２は、アラーム時刻情報に関する処理を行い、設定情報として記憶する。制御部１３は、設定情報に基づき空調を制御する。【選択図】図２
2007240127.tif 000002
【特許請求の範囲】
【請求項１】
アラーム時刻情報を受信する第１通信部（１１）と、
前記アラーム時刻情報に関する処理を行い、設定情報として記憶する設定情報部（１２）と、
前記設定情報に基づき空調を制御する制御部（１３）と、
を備える、空気調和機（１０）。
【請求項２】
前記設定情報部（１２）は、前記アラーム時刻情報に基づき前記空気調和機（１０）のＯＮ／ＯＦＦを行う時刻を演算し、前記設定情報として記憶する、
請求項１に記載の空気調和機。
【請求項３】
前記設定情報部（１２）は、
時間軸に沿って前記空気調和機（１０）のＯＮ／ＯＦＦおよび設定温度の変更を行う所定パターンを記憶するパターン記憶部を有し、
前記所定パターンおよび前記アラーム時刻情報に基づき前記ＯＮ／ＯＦＦおよび前記設定温度の変更を行う時刻を演算し、前記設定情報として記憶する、
請求項１に記載の空気調和機。
【請求項４】
アラーム時刻情報を受信する第１通信部（１１，２１１）と、前記アラーム時刻情報に基づき生成された設定情報に従って空調を制御する制御部（１３，２１３）とを有する空気調和機（１０，２１０）、および
少なくとも前記アラーム時刻情報の入力を受け付ける入力部と、前記アラーム時刻情報を送信する第２通信部（２１、２２１）とを有するアラーム機能付き機器（２０，４０，２２０，２４０）、
を備える、空調制御システム。
【請求項５】
前記空気調和機（１０，２１０）は、前記アラーム時刻情報に関する処理を行って前記設定情報を生成し、記憶する設定情報部を有する、
請求項４に記載の空調制御システム。
【請求項６】
前記空気調和機（１０，２１０）は、前記第１通信部（１１，２１１）を介して前記アラーム機能付き機器（２０，４０，２２０，２４０）に一定の時間間隔でポーリング信号を送信し、
前記アラーム機能付き機器（２０，４０，２２０，２４０）は、前記第２通信部（２１，２２１）を介して前記ポーリング信号を受信すると、前記アラーム時刻情報が前記記憶部（２３，２２３）に記憶されているかどうかの判断処理を行い、
さらにアラーム機能付き機器（２０，４０，２２０，２４０）は、前記判断処理の結果に基づいて、前記第２通信部（２１，２２１）を介して前記空気調和機（１０，２１０）に前記アラーム時刻情報を送信する、
請求項４または５に記載の空調制御システム。
【請求項７】
前記アラーム機能付き機器（２２０，２４０）と前記空気調和機（２１０）とネットワーク（２５０）で結ばれたサーバ（２３０）をさらに備え、
前記サーバ（２３０）は、前記アラーム機能付き機器（２２０，２４０）より前記アラーム時刻情報を受信し、受信した前記アラーム時刻情報と、前記アラーム機能付き機器（２２０，２４０）および前記空気調和機（２１０）をそれぞれ識別するための識別情報とを保持する、
請求項４に記載の空調制御システム。
【請求項８】
前記サーバ（２３０）は、前記アラーム時刻情報に関する処理を行って前記設定情報を生成し、記憶する設定情報部（２３２，２３３）を有する、
請求項７に記載の空調制御システム。
【請求項９】
前記空気調和機（２１０）は、前記第１通信部（２１１）を介して、一定の時間間隔で前記サーバ（２３０）にアクセスを行い、
前記サーバ（２３０）は、前記識別情報により、前記アクセスを行った前記空気調和機（２１０）と対応する前記アラーム機能付き機器（２２０，２４０）を特定し、特定された前記アラーム機能付き機器（２２０，２４０）の前記アラーム時刻情報または前記設定情報を空気調和機（２１０）に送信する、
請求項７または８に記載の空調制御システム。
【請求項１０】
前記サーバ（２３０）は、時間軸に沿って前記空気調和機（２１０）のＯＮ／ＯＦＦおよび設定温度の変更を行う所定パターンを記憶し、
前記所定パターンを含む情報は前記空気調和機（２１０）にダウンロード可能である、
請求項７に記載の空調制御システム。
【請求項１１】
前記サーバ（２３０）は、時間軸に沿って前記空気調和機（２１０）のＯＮ／ＯＦＦおよび設定温度の変更を行う所定パターンを記憶し、
前記設定情報部（２３２，２３３）は、前記所定パターンおよび前記アラーム時刻情報に基づき前記ＯＮ／ＯＦＦおよび前記設定温度の変更を行う時刻を演算し、前記設定情報として記憶する、
請求項８に記載の空調制御システム。
【請求項１２】
前記アラーム機能付き機器（２０，４０，２２０，２４０）と前記空気調和機（１０、２１０）との時刻を同期させる時刻同期手段、
をさらに備える、請求項４または７に記載の空調制御システム。
【請求項１３】
前記第１通信部（１１，２１１）と前記第２通信部（２１，２２１）との間は無線通信である、
請求項４に記載の空調制御システム。
【発明の詳細な説明】
【技術分野】
【０００１】
本発明は、空気調和機および空調制御システムに関する。
【背景技術】
【０００２】
空気調和機の設定を起床時間等に合わせて行うことはよく知られている。例えば、特許文献１では、タイマー設定ボタンを設けたワイヤレスリモートコントローラによって、タイマー運転の設定を行う。また、快眠、起床後等の快適性には空調制御が大きく関わっていることは広く知られている（例えば、特許文献２参照）。
【特許文献１】特開平０８−２９１９３２号公報
【特許文献２】特開２００５−２９６１７７号公報
【発明の開示】
【発明が解決しようとする課題】
【０００３】
ところで、起床等のためのアラーム時刻の設定は、アラーム機能を備えた機器（時計や携帯電話等）において行い、さらにその時刻に合わせて空気調和機の空調運転に関する時刻設定を行うことが多い。したがって、利用者は、起床時刻の設定と空気調和機の時刻設定とを二度行うことになり手間がかかる。また、特許文献１においては、ワイヤレスリモートコントローラに目覚まし時計機構を付随させているが、これでは空気調和機の運転開始時に起床時間を合わせることはできても、快眠や起床後等の快適性が得られるような空調設定を行うことできない。
【０００４】
そこで、本発明の目的は、手間をかけずに快眠や起床後の快適性等を向上させ得る空気調和機および空調制御システムを提供することにある。
【課題を解決するための手段】
【０００５】
第１発明に係る空気調和機は、第１通信部と、設定情報部と、制御部とを備える。第１通信部は、アラーム時刻情報を受信する。設定情報部は、アラーム時刻情報に関する処理を行い、設定情報として記憶する。制御部は、設定情報に基づき空調を制御する。
【０００６】
ここで設定情報とは、アラーム時刻に応じた空気調和機のＯＮ／ＯＦＦの設定時刻、変更する設定温度やその変更時刻等、空調設定に必要な情報を全て含む。
【０００７】
このように、本発明の空気調和機によれば、アラーム時刻を受信することによりその時刻に合わせた空気調和機の設定も自動的に行い、アラーム時刻情報に関する処理の結果である設定情報に基づき空調を制御するため、快眠や起床後等の快適性が向上する。
【０００８】
第２発明に係る空気調和機は、第１発明の空気調和機であって、設定情報部は、アラーム時刻情報に基づき空気調和機のＯＮ／ＯＦＦを行う時刻を演算し、設定情報として記憶する。
【０００９】
ここでは、空気調和機の設定情報部はアラーム時刻情報に基づき空気調和機のＯＮ／ＯＦＦを行う時刻を演算し記憶するため、快眠や起床後等の快適性が十分に得られる最適時刻に合わせたタイマー運転を自動的に設定することが可能となる。
【００１０】
第３発明に係る空気調和機は、第１発明の空気調和機であって、設定情報部は、時間軸に沿って空気調和機のＯＮ／ＯＦＦおよび設定温度の変更を行う所定パターンを記憶するパターン記憶部を有する。設定情報部はさらに、所定パターンおよびアラーム時刻情報に基づきＯＮ／ＯＦＦおよび設定温度の変更を行う時刻を演算し、設定情報として記憶する。
【００１１】
ここで、所定パターンとは、例えば快眠を得るために、起床時刻までの時間（例えば起床前１０分間）予冷を行ったり、睡眠中に設定温度を上げたり下げたりする時間のパターンをいう。一例としては、睡眠時間を６時間とし、推定される入眠時刻（アラーム時刻−６時間）から３時間の間は徐々に設定温度を所定の温度まで下げていき、その後２時間は下げた設定温度を維持し、残り起床時刻までの１時間で設定温度を徐々に上げる等、睡眠のバイオリズムに合わせたパターンが考えられる。このパターンは、例えば標準的なパターン（年齢や季節等に応じて類型化したパターン等）を記憶させ利用者に選択させるようにしたものであってもよいし、あるいは利用者自身が決めたものであってもよい。
【００１２】
ここでは、設定情報部が所定パターンを記憶することにより、利用者は自分に合った所定パターンを選択でき、個々に適した空調を簡単に設定できる。
【００１３】
第４発明に係る空調制御システムは、空気調和機およびアラーム機能付き機器を備える。空気調和機は、アラーム時刻情報を受信する第１通信部と、アラーム時刻情報に基づき生成された設定情報に従って空調を制御する制御部とを有する。アラーム機能付き機器は、少なくともアラーム時刻情報の入力を受け付ける入力部と、アラーム時刻情報を送信する第２通信部とを有する。
【００１４】
ここでは、アラーム時刻を受信することによりその時刻に合わせた空気調和機の設定も自動的に行い、アラーム時刻情報に関する処理の結果である設定情報に基づき空調を制御するため、快眠や起床後等の快適性が向上する。
【００１５】
第５発明に係る空調制御システムは、第４発明の空調制御システムであって、空気調和機は設定情報部を有する。設定情報部は、アラーム時刻情報に関する処理を行って設定情報を生成し、記憶する。
【００１６】
ここでは、空気調和機の設定情報部によりアラーム時刻情報に関する処理の結果である設定情報に基づき空調を制御するため、快眠や起床後等の快適性が向上する。
【００１７】
第６発明に係る空調制御システムは、第４または第５発明に記載の空調制御システムであって、空気調和機は、第１通信部を介してアラーム機能付き機器に一定の時間間隔でポーリング信号を送信し、アラーム機能付き機器は、第２通信部を介してポーリング信号を受信すると、アラーム時刻情報が記憶部に記憶されているかどうかの判断処理を行う。アラーム機能付き機器はさらに、同判断処理の結果に基づいて、第２通信部を介して空気調和機にアラーム時刻情報を送信する。
【００１８】
ここでは、空気調和機がポーリング信号を発信することによりアラーム時刻情報を取得することができるため、より確実にアラーム時刻情報を取得することができる。
【００１９】
第７発明に係る空調制御システムは、第４発明の空調制御システムであって、サーバをさらに備える。サーバは、アラーム機能付き機器と空気調和機とネットワークで結ばれている。サーバはさらに、アラーム機能付き機器よりアラーム時刻情報を受信するとともに、受信したアラーム時刻情報と、アラーム機能付き機器および空気調和機をそれぞれ識別するための識別情報とを保持する。
【００２０】
ここでサーバがアラーム時刻情報を受信する態様としては、例えば、サーバによるポーリング、アラーム機能付き機器からの送信等がある。
【００２１】
ここでは、サーバを備えているため、複数の機器や空気調和機について、アラーム時刻情報を含む情報を一元的に管理できる。
【００２２】
第８発明に係る空調制御システムは、第７発明の空調制御システムであって、サーバは設定情報部を有する。同設定情報部は、アラーム時刻情報に関する処理を行って設定情報を生成し、記憶する。
【００２３】
ここでは、サーバに設定情報部を設けることにより、空気調和機およびネットワークの設計や変更を容易にし、コストを抑えることができる。
【００２４】
第９発明に係る空調制御システムは、第７または第８発明の空調制御システムであって、空気調和機は、第１通信部を介して、一定の時間間隔でサーバにアクセスを行い、サーバは、識別情報により、アクセスを行った空気調和機と対応するアラーム機能付き機器を特定し、特定されたアラーム機能付き機器のアラーム時刻情報または設定情報を空気調和機に送信する。
【００２５】
ここでは、サーバ経由でアラーム時刻情報に関する処理を行うことにより、情報を一元化するとともに管理が容易となる。
【００２６】
第１０発明に係る空調制御システムは、第７発明の空調制御システムであって、サーバは、時間軸に沿って空気調和機のＯＮ／ＯＦＦおよび設定温度の変更を行う所定パターンを記憶し、所定パターンを含む情報は空気調和機にダウンロード可能である。
【００２７】
ここでは、所定パターンをサーバで一元管理するとともに、所定パターンを空気調和機にダウンロード可能にすることにより、利用者は自分に合った所定パターンを選択でき、個々に適した空調を簡単に設定できる。
【００２８】
第１１発明に係る空調制御システムは、第８発明の空調制御システムであって、サーバは、時間軸に沿って空気調和機のＯＮ／ＯＦＦおよび設定温度の変更を行う所定パターンを記憶する。さらにサーバの設定情報部は、所定パターンおよびアラーム時刻情報に基づきＯＮ／ＯＦＦおよび設定温度の変更を行う時刻を演算し、設定情報として記憶する。
【００２９】
ここでは、所定パターンをサーバで記憶し、設定情報を生成するまでサーバにおいて一元管理できるため、空気調和機の設計や変更を容易にし、コストを抑えることができる。
【００３０】
第１２発明に係る空調制御システムは、第４または第７発明の空調制御システムであって、時刻同期手段をさらに備える。時刻同期手段は、アラーム機能付き機器と空気調和機との時刻を同期させる。
ここで時刻同期手段とは、例えば、アラーム機能付き機器、空気調和機、あるいはサーバのいずれかから時刻情報を定期的に送信し、受信した側の時刻を調整すること等である。
【００３１】
ここでは、時刻同期手段を設けることにより、時刻のずれを防ぎ正確な空調設定を行うことができる。
【００３２】
第１３発明に係る空調制御システムは、第４発明の空調制御システムであって、第１通信部と第２通信部との間は無線通信である。
【００３３】
ここでは、空気調和機の第１通信部とアラーム機能付き機器の第２通信部との間は無線通信とすることにより、アラーム時刻情報を取得し易く、導入が容易なシステムを提供することができる。
【発明の効果】
【００３４】
第１発明に係る空気調和機は、アラーム時刻を受信することによりその時刻に合わせた空気調和機の設定も自動的に行い、アラーム時刻情報に関する処理の結果である設定情報に基づき空調を制御するため、快眠や起床後等の快適性が向上する。
【００３５】
第２発明に係る空気調和機は、設定情報部がアラーム時刻情報に基づき空気調和機のＯＮ／ＯＦＦを行う時刻を演算し記憶するため、快眠や起床後等の快適性が十分に得られる最適時刻に合わせたタイマー運転を自動的に設定することが可能となる。
【００３６】
第３発明に係る空気調和機は、時間軸に沿って空気調和機のＯＮ／ＯＦＦおよび設定温度の変更を行う所定パターンを記憶することにより、利用者は自分に合った所定パターンを選択でき、個々に適した空調を設定できる。
【００３７】
第４発明に係る空調制御システムは、アラーム時刻を受信することによりその時刻に合わせた空気調和機の設定も自動的に行い、アラーム時刻情報に関する処理の結果である設定情報に基づき空調を制御するため、快眠や起床後等の快適性が向上する。
【００３８】
第５発明に係る空調制御システムは、空気調和機の設定情報部によりアラーム時刻情報に関する処理の結果である設定情報に基づき空調を制御するため、快眠や起床後等の快適性が向上する。
【００３９】
第６発明に係る空調制御システムは、空気調和機がポーリング信号を発信することによりアラーム時刻情報を取得することができるため、より確実にアラーム時刻情報を取得することができる。
【００４０】
第７発明に係る空調制御システムは、サーバを備えているため、複数の機器や空気調和機について、アラーム時刻情報を含む情報を一元的に管理できる。
【００４１】
第８発明に係る空調制御システムは、サーバに設定情報部を設けることにより、空気調和機およびネットワークの設計や変更を容易にし、コストを抑えることができる。
【００４２】
第９発明に係る空調制御システムは、サーバ経由でアラーム時刻情報に関する処理を行うことにより、情報を一元化するとともに、管理が容易となる。
【００４３】
第１０発明に係る空調制御システムは、所定パターンをサーバで一元管理するとともに、所定パターンを空気調和機にダウンロード可能にすることにより、利用者は自分に合った所定パターンを選択でき、個々に適した空調を設定できる。
【００４４】
第１１発明に係る空調制御システムは、所定パターンをサーバで記憶し、設定情報を生成するまでサーバにおいて一元管理できるため、空気調和機の設計や変更を容易にし、コストを抑えることができる。
【００４５】
第１２発明に係る空調制御システムは、時刻同期手段を設けることにより、時刻のずれを防ぎ正確な空調設定を行うことができる。
【００４６】
第１３発明に係る空調制御システムは、空気調和機の第１通信部とアラーム機能付き機器の第２通信部との間を無線通信とすることにより、アラーム時刻情報を取得し易く、導入が容易なシステムを提供することができる。
【発明を実施するための最良の形態】
【００４７】
≪第１実施形態≫
＜第１実施形態に係る空調制御システムの概略構成＞
本発明の第１実施形態に係る空調制御システム１を、図１および図２に示す。
【００４８】
空調制御システム１は、空気調和機１０と、アラーム機能付き機器の一つである携帯電話２０とから構成される。空気調和機１０と携帯電話２０との間は無線通信で情報の送受信が行われる。図２は、空気調和機１０および携帯電話２０のそれぞれの概略構成を示す。なお、図２は、本発明の空調制御システム１の機能に関わる部分を主に示しており、その他の詳細な部分については図示を省略している。
【００４９】
＜第１実施形態に係る空気調和機の概略構成＞
図２に示すように、空気調和機１０は、通信部１１と、設定情報部１２と、空調制御部１３とを有する。なお、図示例では、空気調和機の室内機と室外機のうち、室外機の図示は省略している。
【００５０】
通信部１１は、アラームの設定時刻を示す情報（以下、アラーム時刻情報と称する。）を後述する携帯電話２０より受信する。なお、携帯電話２０に複数のアラーム時刻情報を設定されている場合は、予めいずれかのアラーム時刻情報を選択しておく。
【００５１】
設定情報部１２は、制御部であるＣＰＵ１２ａと記憶部であるメモリ１２ｂを有する。ＣＰＵ１２ａは、通信部１１を介して受信したアラーム時刻情報等の情報やメモリ１２ｂに格納された情報等を処理する。
【００５２】
メモリ１２ｂはＣＰＵ１２ａによって処理された情報や予め取得された情報が設定情報として格納されている。なお、設定情報とは、アラーム時刻に応じた空気調和機のＯＮ／ＯＦＦの設定時刻、変更する設定温度やその変更時刻等、空調設定に必要な情報を全て含む。
【００５３】
空調制御部１３は空調を制御する。なお、本実施形態においては、ＣＰＵ１２ａやメモリ１２ｂは上記の通り設定情報部１２として機能するとともに、空調制御部としても機能する。これに代えて、空調制御用として別個の制御部を設けてもよい。
【００５４】
＜第１実施形態に係るアラーム機能付き機器の概略構成＞
図２に示すように、アラーム機能付き機器である携帯電話２０は、通信部であるアンテナ２１と、制御部であるＣＰＵ２２と、記憶部であるメモリ２３と、情報を出力する表示部２４と、アラーム時刻等を入力するための入力部２５とを有する。
【００５５】
アンテナ２１は、アラーム時刻情報が入力、設定されると、自動的或いは利用者の操作により空気調和機１０に送信される。ＣＰＵ２２は、アラーム時刻情報等の処理を行う。メモリ２３は、アラーム時刻情報を記憶する。メモリ２３には、予めアラーム時刻情報の送信先を特定するアドレス情報等（ここでは、空気調和機１０のアドレス）が格納されており、ＣＰＵ２２は同アドレス情報に基づき送信先を判断する。
【００５６】
表示部２４は、読み出した情報や利用者の入力した情報を出力する画面等である。例えば、アラーム時刻を設定する場合、利用者は所定のガイド画面に沿って時刻を入力する。入力部２５は、利用者がアラーム時刻を入力したり、入力したアラーム時刻を送信したりするための操作ボタン等を指す。
【００５７】
＜第１実施形態に係る空調制御システムの処理の流れ＞
上記空調制御システム１の処理の流れを、図３のフローチャートを参照しながら説明する。このフローチャートは空気調和機１０を主体とした処理の流れを示す。
【００５８】
まず、利用者が携帯電話２０にアラーム時刻情報を入力する（Ｓ１０１ステップ）。ここで、携帯電話２０のアラーム時刻情報は、利用者の操作により空気調和機１０に送信される。その結果、空気調和機１０は通信部１１を介してアラーム時刻情報を受信する（Ｓ１０２ステップ）。次いで、空気調和機１０は、受信したアラーム時刻情報をメモリ１２ｂに格納する（Ｓ１０３ステップ）。そして、アラーム時刻情報に合わせて設定情報を生成する（Ｓ１０４ステップ）。具体的には、ＣＰＵ１２ａが、メモリ１２ｂに格納されたアラーム時刻情報に合わせて、同じくメモリ１２ｂに予め格納されている時刻設定や温度設定、ＯＮ／ＯＦＦのタイミング等を演算し設定情報を生成する。そして、ＣＰＵ１２ａは、生成された設定情報を読み出し（Ｓ１０５ステップ）、その設定情報に基づき空調を制御する（Ｓ１０６ステップ）。
【００５９】
＜第１実施形態に係る空調制御システムの特徴＞
（１）
第１実施形態に係る空調制御システムにおいては、空気調和機１０はアラーム時刻情報を携帯電話２０より受信し、設定情報部によりその時刻に合わせた空気調和機１０の設定も自動的に行うため、利用者にとって快眠や起床後の快適性等が十分かつ簡単に得られる。
【００６０】
（２）
第１実施形態に係る空調制御システムにおいては、空気調和機１０の設定情報部は、アラーム時刻情報に基づき記空気調和機１０のＯＮ／ＯＦＦを行う時刻を演算し記憶するため、利用者は快眠や起床後等の快適性が十分に得られる最適時刻に合わせたタイマー運転を自動的に設定することが可能となる。
【００６１】
（３）
第１実施形態に係る空調制御システムは、空気調和機１０の通信部１１とアラーム機能付き機器である携帯電話２０のアンテナ２１との間を無線通信とすることにより、アラーム時刻情報を取得し易く、また導入がし易い。
【００６２】
＜第１実施形態の変形例＞
（Ａ）
空気調和機１０のメモリ１２ｂは、時間軸に沿って空気調和機１０のＯＮ／ＯＦＦおよび設定温度の変更を行う所定パターンの情報を格納するパターン記憶部を有していてもよい。このパターンは、例えば、快眠を得るために、起床時刻までの時間（例えば起床前１０分間）予冷を行ったり、睡眠のバイオリズムに則って温度設定を決めたりしたパターンを意味する（例えば、特許文献２を参照）。一例としては、睡眠時間を６時間とし、推定される入眠時刻（アラーム時刻−６時間）から３時間の間は徐々に設定温度を所定の温度まで下げていき、その後２時間は下げた設定温度を維持し、残り起床時刻までの１時間で設定温度を徐々に上げる等、睡眠のバイオリズムに合わせたパターンが考えられる。
【００６３】
ＣＰＵ１２ａは、この所定パターンの情報と受信されたアラーム時刻情報とに基づいて、空気調和機１０のＯＮ又はＯＦＦの設定時刻や設定温度の変更時刻等を演算し、それらを設定情報としてメモリ１２ｂに記憶させる。この設定情報に応じて、空調制御部１３により空調制御がなされる。
【００６４】
なお、この所定パターンは、例えば標準的なパターン（年齢や季節等に応じて類型化したパターン等）を記憶させ利用者に選択させるようにしたものであってもよいし、利用者自身が決めたものを記憶させたものであってもよい。
【００６５】
この記憶された所定パターンを利用することにより、利用者は自分に合った所定パターンを選択でき、アラーム時刻を設定するだけの操作で各利用者に適した空調を簡単に設定できる。
【００６６】
（Ｂ）
空気調和機１０は携帯電話２０に対し一定の時間間隔（例えば、１分毎）でポーリング信号を送信し、同ポーリング信号を受信した携帯電話２０がアラーム時刻情報を空気調和機１０に送信することも可能である。具体的には、空気調和機１０のＣＰＵ１２ａが、通信部１１を介して携帯電話２０に一定の時間間隔でポーリング信号を送信し、携帯電話２０のＣＰＵ２２は、アンテナ２１を介してポーリング信号を受信する。次いで、携帯電話２０のＣＰＵ２２は、アラーム時刻情報がメモリ２３に記憶されているかどうかを判断する。アラーム時刻情報が記憶されていると判断した場合、ＣＰＵ２２は、アンテナ２１を介して空気調和機１０にアラーム時刻情報を送信する。なお、この場合、空気調和機１０のメモリ１２ｂには、予めアラーム時刻情報の送信元を特定するアドレス情報等（ここでは、携帯電話２０のアドレス情報）が格納されており、空気調和機１０のＣＰＵ１２ａは同アドレス情報等に基づき送信元を判断する。
【００６７】
これにより、携帯電話２０がＯＮ状態で空気調和機１０の通信の範囲内に存在する限り、アラーム時刻情報が空気調和機１０に送信されることになる。したがって、利用者は携帯電話２０を操作して積極的にアラーム時刻情報を送信しなくとも、アラーム時刻情報は送信され空気調和機１０側の設定が自動的に行われる。
【００６８】
（Ｃ）
空気調和機１０と携帯電話２０間においては、時刻同期手段として、時刻同期用の信号のやり取りを所定の時間間隔で行ってもよい。具体的には、携帯電話２０または空気調和機１０のいずれか一方から時刻情報を送信し、その送信された時刻情報に合わせて受信した側の時刻を調整すること等が可能である。これにより、正確な時刻設定が行うことができ、より快適な空調が実現できる。
【００６９】
≪第２実施形態≫
＜第２実施形態に係る空調制御システムの概略構成＞
本発明の第２実施形態に係る空調制御システム２を、図４に示す。
【００７０】
空調制御システム２は、サーバ２３０と、空気調和機２１０群と、アラーム機能付き機器群（携帯電話２２０および目覚まし時計２４０）とから構成される。サーバ２３０と携帯電話２２０および目覚まし時計２４０との間は無線通信で情報の送受信が行われ、サーバ２３０と空気調和機２１０群とは有線で連結されてネットワーク２５０を形成する。
【００７１】
図５は、空気調和機２１０、携帯電話２２０およびサーバ２３０の概略構成を示す。
【００７２】
＜第２実施形態に係るサーバの概略構成＞
図５に示すように、サーバ２３０は、通信部２３１とＣＰＵ２３２ａとメモリ２３２ｂとを有する。通信部２３１は、携帯電話２２０や目覚まし時計２４０からの無線情報を受信し、空気調和機２１０にその無線情報等を送信する。
【００７３】
ＣＰＵ２３２ａは、サーバ２３０内での情報を演算処理する。ＣＰＵ２３２ａは、アラーム時刻情報を受信すると、同アラーム時刻情報に基づいて設定情報を生成する。具体的には、ＣＰＵ２３２ａが、アラーム時刻情報等の情報やメモリ２３２ｂに格納された情報等を演算処理することにより、アラーム時刻に応じた空気調和機２１０のＯＮ／ＯＦＦの設定時刻、変更する設定温度およびその変更時刻等の情報を設定情報として生成する。
【００７４】
メモリ２３２ｂは、サーバが受信したアラーム時刻情報や設定情報、所定の入力手段により入力された情報等を格納する、内部メモリ又は外部メモリを示す。また、メモリ２３２ｂは、各空気調和機２１０や各アラーム機能付き機器（携帯電話２２０および目覚まし時計２４０）とそれらを識別するための識別情報（例えば、ＩＤ番号、或いはアドレス情報等）とを対応付けて記憶している。ＣＰＵ２３２ａは、この識別情報を参照して、受信したアラーム時刻情報を送信すべき空気調和機２１０を特定する。なお、メモリ２３２ｂには、受信したアラーム時刻情報や生成された設定情報を上記識別情報に対応させてファイルやデータベース等により格納される。
【００７５】
符号２３３はサーバの制御部を示す。設定情報部２３２はサーバ２３０の制御部の一部として機能する。
【００７６】
＜第２実施形態に係る空気調和機の概略構成＞
設定情報部が空気調和機２１０ではなくサーバ２３０に設けられている点で上記第１実施形態と異なるが、その他は第１実施形態と同様である。
【００７７】
＜第２実施形態に係るアラーム機能付き機器の概略構成＞
アラーム機能付き機器である携帯電話２２０は、上記第１実施形態に係る携帯電話２０と同様の構成であるため説明は省略する。また、アラーム機能付き機器である目覚まし時計２４０の構成についても、計時機構等通常の時計としての構成を除き本発明に関わる構成に関する限りにおいては携帯電話２０と同様の構成を含むので、ここでは図示を省略する。目覚まし時計２４０は、携帯電話２０と同様に、入力部、アンテナ、ＣＰＵおよびメモリ等を有し、入力設定されたアラーム時刻を空気調和機２１０にアンテナを介して送信する。
【００７８】
＜第２実施形態に係る空調制御システムの処理の流れ＞
上記空調制御システム２の処理の流れを、図６のフローチャートを参照しながら説明する。
【００７９】
まず、利用者は携帯電話２２０にアラーム時刻情報を入力する（Ｓ２０１ステップ）。次いで、サーバ２３０は、通信部２３１を介してアラーム時刻情報を受信する（Ｓ２０２ステップ）。ここで、携帯電話２２０のアラーム時刻情報は、利用者の操作によりサーバ２３０に送信されてもよいし、或いはサーバ２３０のポーリング信号（例えば５分毎に送信）に応じて送信されてもよい。次いで、サーバ２３０は、メモリ２３２ｂの上記識別情報を参照して（Ｓ２０３ステップ）、受信したアラーム時刻情報に対応する空気調和機２１０を特定する（Ｓ２０４ステップ）。そして、サーバ２３０のＣＰＵ２３２ａは、アラーム時刻情報に従って設定情報を生成する（Ｓ２０５ステップ）。そして、対応する空気調和機２１０に設定情報を送信する（Ｓ２０６ステップ）。空気調和機２１０は、受信した設定情報に従って空調を制御する（Ｓ２０７ステップ）。
【００８０】
＜第２実施形態に係る空調制御システムの特徴＞
第２実施形態に係る空調制御システムにおいては、サーバ２３０が複数のアラーム機能付き機器である携帯電話２２０および目覚まし時計２４０や複数の空気調和機２１０を統括するネットワークを形成しているため、アラーム時刻情報などの情報を一元的に管理できる。また、サーバ２３０が設定情報部２３２を有するため、空気調和機やネットワークの設計や変更を容易にし、システムの導入を容易にすると共にコストを抑えることができる。
【００８１】
＜第２実施形態の変形例＞
（Ａ）
上記第２実施形態においては、サーバ２３０が設定情報部２３２として機能するＣＰＵ２３２ａおよびメモリ２３２ｂを有しているが、同設定情報部２３２は空気調和機２１０に設けてもよい。この場合、サーバ２３０はアラーム時刻情報を各機器の識別情報と対応付けて保持し、所定のタイミングで対応する空気調和機２１０にアラーム時刻情報を送信する。
【００８２】
（Ｂ）
第１実施形態の変形例（Ａ）に記載の所定パターンの情報を、サーバ２３０に格納してもよい。この場合、所定パターン情報は、サーバ２３０のメモリ２３２ｂ等に、空気調和機２１０またはアラーム機能付き機器である携帯電話２２０および目覚まし時計２４０にダウンロード可能に記憶される。この所定パターン情報に則して空気調和機２１０のＯＮ又はＯＦＦの設定時刻や設定温度の変更時刻等を演算し、設定情報を生成する。この設定情報に従い、空気調和機２１０の空調制御部２１３により空調制御がなされる。
【００８３】
これにより所定パターンをサーバ２３０で一元管理できるとともに、ダウンロード可能であることにより利用者が予め記憶され自分に合った所定パターンを選択して、個々に適した空調を簡単に実現できる。
【００８４】
（Ｃ）
アラーム機能付き機器は、携帯電話２２０や目覚まし時計２４０に限定されない。ラジオやその他オーディオ機器等、アラーム機能を有している機器は全て適用可能である。
【産業上の利用可能性】
【００８５】
本発明は、アラーム時刻を受信することによりその時刻に合わせた空気調和機の設定を自動的に行うため、手間をかけずに快眠や起床後等の快適性が向上するという効果を有し、空気調和機および空調制御システムとして有用である。
【図面の簡単な説明】
【００８６】
【図１】本発明の第１実施形態に係る空調制御システムの概略図。
【図２】本発明の第１実施形態に係る空調制御システムの概略構成図。
【図３】本発明の第１実施形態に係る空調制御システムの処理の流れを示すフローチャート。
【図４】本発明の第２実施形態に係る空調制御システムの概略図。
【図５】本発明の第２実施形態に係る空調制御システムの概略構成図。
【図６】本発明の第２実施形態に係る空調制御システムの処理の流れを示すフローチャート。
【符号の説明】
【００８７】
１，２          空調制御システム
１０，２１０    空気調和機
１１，２１１    通信部（第１通信部）
１２            設定情報部
１２ａ          ＣＰＵ
１２ｂ          メモリ
１３，２１３    空調制御部（制御部）
２０，２２０    携帯電話（アラーム機能付き機器）
２１            アンテナ（第２通信部）
２２            ＣＰＵ
２３            メモリ
２４            表示部
２５            入力部
２３０          サーバ
２３１          通信部
２３２          設定情報部
２３２ａ        ＣＰＵ
２３２ｂ        メモリ
２３３          制御部
２４０          目覚まし時計（アラーム機能付き機器）
【図１】
2007240127.tif 000003
【図２】
2007240127.tif 000004
【図３】
2007240127.tif 000005
【図４】
2007240127.tif 000006
【図５】
2007240127.tif 000007
【図６】
2007240127.tif 000008